(57)【要約】【課題】仰向けに寝たままの状態で、水又はぬるま湯を用いて洗顔することができるようにする。【解決手段】水又はぬるま湯が入った水循環器に寝たままの状態で頭部を載せる。水循環器のノズルから出る水等と、顔面との間に利き手を介在させて、該利き手の甲に水等をかけながら顔表面を洗浄する。【選択図】　図１
2004008743.tif 000002
【特許請求の範囲】
【請求項１】
水等が入った水循環器を用意する工程と、
仰向けに寝た状態で頭部を前記水循環器に載せる工程と、
前記水循環器に設けられているホースの先に取付けられたノズルから出る前記水等と、洗浄の対象となる顔表面との間に手を介在させる工程と、
前記介在した手に前記ノズルから出る水等をかけながら該手と顔表面との間に前記水等を介在させて顔表面を洗浄する工程と、
からなる洗顔方法。
【請求項２】
前記水等は、弱酸性であり、水道水の分子よりも小さく、且つ水道水よりもミネラル分を多く含む洗顔用水であることを特徴とする請求項１に記載の洗顔方法。
【発明の詳細な説明】
【０００１】
【発明が属する技術分野】
本発明は、洗顔方法に関し、特に、エステティックサロンで美容洗顔を行う場合、又は仰向けに寝ている人の洗顔を行う方法に関する。
【０００２】
【従来の技術】
従来のエステティックサロンにおいては、仰向けに寝た状態で化粧品を落とす際には化粧品を用いて落としていた。その後、蒸しタオルを用いて残りの化粧品をぬぐい去る方法であった。更に、寝たきりの人の洗顔を行う場合においても、化粧をしているときは該化粧品を化粧品でもって落とし、その後、蒸しタオルで残りの化粧品をぬぐい去る方法であった。
【０００３】
【発明が解決しようとする課題】
しかし、蒸しタオルを用いて複数回ぬぐっても、表皮の表面にある深さ不定の溝である皮膚小溝（ｓｋｉｎ　ｇｒｏｏｖｅｓ）内の化粧品を完全にぬぐい去ることができない。このため、洗顔剤、例えば洗顔用石けんを用いて水、好ましくはぬるま湯で洗い流すのが最も好ましいが、寝たきりの人或いは上記エステティックサロンで仰向けに寝た状態で、直接顔に水をかけて洗顔しようとすると、鼻、耳等に水が入ったり、首等に水がかかったりするため、仰向けに寝たままの状態では水を使用して洗顔することができなかった。
【０００４】
本発明は、上記点に着目してなされたものであって、仰向けに寝たままの状態であっても、水或いはぬるま湯を用いて洗顔する方法を提供することを目的とするものである。
【０００５】
【課題を解決するための手段】
上記目的を達成するため、本発明は、水等が入った水循環器を用意する工程と、仰向けに寝た状態で頭部を前記水循環器に載せる工程と、前記水循環器に設けられているホースの先に取付けられたノズルから出る前記水等と、洗浄の対象となる顔表面との間に手を介在させる工程と、前記介在した手の甲に前記ノズルから出る水等をかけながら該手と顔表面との間に前記水等を介在させて顔表面を洗浄する工程と、からなる洗顔方法とした。
【０００６】
前記水等としては、例えば、弱酸性であり、水道水の分子よりも小さく、且つ水道水よりもミネラル分を多く含む洗顔用水を使用するのが好ましい。
【０００７】
このように本発明によれば、寝たままの状態で水等で洗浄することが可能であり、寝たきりの人にも対応することができる。このように従来の蒸しタオルのみでの洗浄ではなく、水等を用いる洗浄であるため、皮膚小溝内の化粧品の残留物や余分な油分をも洗い流すことができ、水分補給もできるため、角質層を整え皮膚に透明感がでる他、サッパリ感が得られる。つまり、化粧品を化粧品で落とす従来の方法に比べて、洗顔剤、例えば洗顔用石けん等を使用することができ、より皮膚を清潔にすることができる。
【０００８】
直接に水等を顔の表面に当てずに、手を介在させて行うため、間接的に水等を当てるため、水圧による刺激がなく不快感がない他、鼻、目、口、耳、及び首等に水等が入らずに顔面を洗浄することができる。このように水等を顔の皮膚と手のひらとの間に介在させて媒体とすることにより、顔の皮膚に摩擦が起きず、それだけ顔の皮膚に負担をかけることがない。
【０００９】
水等として洗顔用水を用いると、弱酸性であるため、敏感肌の人、脂性の肌の人を問わず全ての肌質に適用することができる。この洗顔用水は、水道水の分子の大きさよりも小さいため、皮膚小溝内の残留物も洗い流すことができる。更に、ミネラル分が多いと皮膚の活性化につながる。
【００１０】
【発明の実施の態様】
以下、本発明の好ましい実施例について、添付した図面に基づいて詳細に説明する。
【００１１】
図１に示すように、仰向けに寝た人を洗顔するに際し、水あるいはぬるま湯（以下、「水等」という。）を用いて行う。人の皮膚は弱酸性状態であるため、水等で洗顔するには皮膚に刺激を与えないようにするため、本発明においては弱酸性の水等を用いて洗顔する。更に、水等は水道水よりもミネラルを多く含んだものを用いて洗顔するのが好ましい。この水等は、水道水の分子の半分程度の大きさの分子からなる。以下、本実施例では、弱酸性であり、ミネラル分を多く含み、且つ分子の大きさが水道水の分子の半分位のである水等を洗顔用水という。このように水の分子が小さいと顔面の皮膚小溝に水が入り込み、該皮膚小溝内に残留する化粧品あるいは汚れを完全に洗い流す。
【００１２】
図１において、仰向けに寝た人は、その頭部１０を水循環器２０に載せる。この水循環器２０は、前記洗顔用水を循環する機械である。該水循環器２０は、循環器本体２１と、ポンプ２２とを有している。循環器本体２１は、上半体２３と、下半体２４とからなっている。上半体２３は、頭部１０を載置できるように凹部２５を有する形状をしている。この凹部２５部部には、洗顔する際に洗顔用水が下半体２４に流れていくように少なくとも１つの孔２６が形成されている。下半体２４は、箱形状をし、底部に洗顔用水Ｗが溜まるようになっている。
【００１３】
上記循環器本体２１内には、ポンプ２２と、該ポンプ２２による水量の調整をするための制御器２７とが収納されている。該制御器２７は調節用摘み２８を回転することにより制御され、ポンプ２２から出水する量が調整される。符号２９はホースであり、符号３０はノズルないしはシャワー蛇口である。符号３１は、ポンプ２２を作動させるために電源に接続するためのコンセントである。
【００１４】
水循環器２０は、電源を入れて調節用摘み２８を調節することにより、ポンプ２２及びホース２９を介して下半体２４の底部に溜まっている洗顔用水Ｗをノズル３０から出水する。この出水した洗顔用水Ｗは顔面１１にかけられ洗顔する。洗顔後の顔面１１から流れた洗顔用水Ｗは、上半体２３の凹部２５に流れ、該凹部２５に形成されている孔２６を介して下半体２４の底部に溜まる。つまり、洗顔用水Ｗは、顔面１１を洗顔した後、循環させて更に洗顔用水Ｗとして使用する。最も洗顔対象者が変われば、洗顔用水Ｗを入れ替える。この洗顔用水Ｗの入れ替えは、上半体２３を外して下半体２４の底部に入れることにより行う。
【００１５】
エステティックサロンなどで美容洗顔を行う際には、利用客はリクライニング用の椅子に座り、該椅子を倒すことによって、利用客を仰向け状態にする。利用客の頭部１０は、上記サロンの洗面台に載せた上記水循環器２０上に図１に示すように載置される。この仰向けに寝た状態で水等による洗顔を行う。
【００１６】
寝たきりの人の洗顔を行うときは、先ず、頭を起こし、該頭の下の位置となるよう水循環器２０をセットする。この仰向けに寝たきりの状態で水等による洗顔を行う。
【００１７】
以上のように、本発明方法によれば、水循環器２０を使用することにより、仰向けに寝たままの状態で洗顔することができる。特に、寝たきりの人にとって顔面を水等で洗浄することは、単に蒸しタオルのみで洗顔するよりも汚れ、油分等が洗い流されサッパリとするので有効である。
【００１８】
上述したように、水循環器２０を用いて洗顔する際、水量を調節することは勿論のこと、その他、ノズル３０から出る洗顔用水Ｗを直接顔面１１に当てると、その水圧により不快感が生ずる他、鼻、口、耳等に洗顔用水Ｗが入るおそれがあるため、ノズル３０からの水等を顔面に当てずに間接的に当たるようにする。そのために、具体的には、利き手Ｈの甲の部分にノズル３０からの洗顔用水Ｗを当て、該利き手Ｈの指の間から洗顔用水Ｗが流れる落ちるようにして洗顔する。つまり、ノズル３０と顔面１１との間に自分の利き手Ｈを介在させて、水圧を緩衝させる。
【００１９】
次に、洗顔用水Ｗで洗顔する際の方法及び手順について、図２〜図６に基づいて具体的に説明する。
【００２０】
図２に示すように、先ず、額１２を洗浄する。この額１２の洗浄は、該額１２の中心に利き手Ｈを軽く当て、該利き手Ｈとは反対のもう一方の手でノズル３０を持つ。そして、ノズル３０を利き手Ｈの甲の部分に当てて、該利き手Ｈの甲を伝わせながら間接的に洗顔用水Ｗを送る。そして、両手を同時に動かしながら、図の２点鎖線で示すように大きく円を描きながら額１２を洗浄する。この際、額１２の中心から側頭部にかけて半分ずつ洗顔する。この額１２の洗浄は２〜３回繰り返す。額１２の中心部分は高いため、洗顔用水Ｗは、該中心部分から側頭部側に流れ、水循環器２０内に流れ落ちる。
【００２１】
次に、図３に示すように鼻１３部分を洗浄する。利き手Ｈの中指及び薬指、又は人差し指及び中指にノズル３０からの洗顔用水Ｗを含ませた後、利き手Ｈからノズル３０を外す。そして、図の２点鎖線の矢印で示したように、上記指に含んだ洗顔用水Ｗを運ぶようにして眉間から鼻先に軽く指を滑らせた後、鼻の中心に戻り、更に、その鼻１３の中心から一方の小鼻に指を滑らせる。この洗顔処理をを他方の小鼻にも行う。このように鼻１３を洗顔することにより頬に洗顔用水Ｗは伝い流れる。このため、鼻１３に洗顔用水Ｗが入るのを防ぐことができる。この鼻１３の洗浄は２〜３回繰り返す。
【００２２】
図４に示すように顎１４及び鼻の下１７を洗うには、先ず、利き手Ｈを一方の耳１５の上に当てる。そして、利き手Ｈの指を閉じて洗顔用水Ｗを該利き手Ｈに溜めて、該利き手Ｈから一旦ノズル３０を外す。この後、利き手Ｈに洗顔用水Ｗを溜めた状態で図の２点鎖線の矢印で示すように顎１４及び鼻の下１７の下を通り、反対側の耳１５の下まで洗顔用水Ｗを誘導し、利き手Ｈを往復させながら顎１４を洗い、元の位置に戻る。他方の耳１５側からも同様の洗顔処理を行う。このように耳１５の下から顎１４と鼻の下１７にかけて洗顔することにより、耳１５の下に洗顔用水Ｗを流す。従って、洗顔中においても耳１５に洗顔用水Ｗが入るのを防止することができる。この顎１４と鼻の下１７の洗浄も片方づつ２〜３回行う。
【００２３】
次に、図５に示すように頬１６部分を洗顔する。こめかみより少し下の生え際の位置で利き手Ｈに洗顔用水Ｗを誘い、利き手Ｈからノズル３０を外して、該利き手Ｈを顎１４まで移動する。この顎１４の位置から利き手Ｈの平全体で頬１６に向けて、つまり、下から上に向けて図の２点鎖線の失印で示すように円を描くように大きく軽いタッチで頬１６を洗浄する。左右の頬１６の洗浄をそれぞれ４〜５回行う。
【００２４】
最後に、図６に示すように顔面１１全体を洗顔する。具体的には、額１２のほぼ中心に利き手Ｈを置き、該利き手Ｈに洗顔用水Ｗを受け取り、利き手Ｈからノズル３０を外して、該洗顔用水Ｗを滑らせるようにして顔面１１の半面づつを８の字を大きく描くように洗浄する。具体的には、図の２点鎖線の矢印で示すように、額１２中心→鼻１３の一方の脇→口元の一方の脇→顎１４の一方の脇→顔面１１の一方の側面→一方のこめかみ→元の位置（額１２の中心）の順で顔面１１の一方の面を洗浄する。これに続いて、額１２中心→鼻１３の他方の脇→口元の他方の脇→顎１４の他方の脇→顔面１１の他方の側面→他方のこめかみ→元の位置（額１２の中心）の順で顔面１１の他方の面を洗浄する。つまり、上述したように顔面１１を８の字を描くようにして洗浄する。これを４〜５回繰り返す。
【００２５】
以上の洗顔順序に従って顔全体を洗浄する。この洗顔用水Ｗは、水循環器２０内と顔との間で循環する。このため、洗顔用水Ｗは無駄とならない。
【００２６】
図７は、仰向けに寝たままの状態で洗顔用水Ｗを用いて洗顔する処理工程を示している。
【００２７】
ステップ（以下、ＳＴと略す）１００では、先ず、図１に示した洗顔用水Ｗが入った水循環器２０を用意する。
【００２８】
ＳＴ１０２では、用意した水循環器２０の上に仰向けに寝た人の頭部１０を載せて洗顔の準備を行う。エステティックサロンでは、客が座っているリクライニング椅子を倒し、客を仰向け状態にしてその頭部１０を水循環器２０に載置する。寝たきりの人においては、その頭部１０を持ち上げてその下に水循環器２０を潜り込ませるようにして該頭部１０を水循環器２０に載せる。
【００２９】
ＳＴ１０４では、水循環器２０の水量を調整した後、ノズル３０から出る洗顔用水Ｗが直接顔にかからないようにするため、顔面１１との間に手Ｈを介在させる。
【００３０】
ＳＴ１０６では、介在された手Ｈの甲に洗顔用水Ｗをかけながら、該手Ｈで顔表面を洗浄する。この際、顔表面は、直接に手Ｈでこすらずに洗顔用水Ｗを介在させて洗浄する。最後に蒸しタオルで水分を軽く拭き取る。
【００３１】
【発明の効果】
以上説明したように、本発明の洗顔方法は、水循環器に等部を載せ、直接顔に水等を当てずに手を介在させて間接的に水等を当てて洗顔するため、摩擦や水圧による刺激がなく、鼻、耳等に水等が入ることなく、寝たままの状態で水等を使用して洗顔することができ、エステティックサロンあるいは美容院での洗顔の他、寝たきりの人を洗顔する上で有効である。
【図面の簡単な説明】
【図１】水循環器に頭部を載せて水等で洗顔する際の概略図である。
【図２】水等で洗顔する際の順序を示し、額を洗浄する際の説明図である。
【図３】鼻及びその両脇を洗浄する際の説明図である。
【図４】顎を洗浄する際の説明図である。
【図５】頬を洗浄する際の説明図である。
【図６】顔面全体を洗浄する際の説明図である。
【図７】本発明の洗顔方法に係る処理のステップを示した図である。
【符号の説明】
１０　頭部
１１　顔面
２０　水循環器
２９　ホース
３０　ノズル
Ｗ　洗顔用水
Ｈ　手
【図１】
2004008743.tif 000003
【図２】
2004008743.tif 000004
【図３】
2004008743.tif 000005
【図４】
2004008743.tif 000006
【図５】
2004008743.tif 000007
【図６】
2004008743.tif 000008
【図７】
2004008743.tif 000009